(57)【要約】【課題】  骨伝導型スピーカを具えた携帯通信端末機においてハウリングの発生を抑制する。【解決手段】  本発明に係る携帯通信端末機は、キャビネット２の表面に骨伝導型スピーカ４を配備したものであって、キャビネット２の表面には、骨伝導型スピーカ４を収容すべきスピーカ収容凹部24が形成され、該スピーカ収容凹部24に弾性支持部材５を介して骨伝導型スピーカ４が収容されている。弾性支持部材５は、骨伝導型スピーカ４の外周面及び裏面を覆う袋状部51を具え、該袋状部51の裏面には、スピーカ収容凹部24の底面に接触すべき複数の凸部53が形成され、該複数の凸部53によって骨伝導型スピーカ４が弾性支持されている。【選択図】      図６
2005159969.tif 000002
【特許請求の範囲】
【請求項１】
キャビネット(２)の表面に骨伝導型スピーカ(４)を配備した携帯通信端末機において、キャビネット(２)の表面には、骨伝導型スピーカ(４)を収容すべきスピーカ収容凹部(24)が形成され、該スピーカ収容凹部(24)に弾性支持部材(５)を介して骨伝導型スピーカ(４)が収容され、弾性支持部材(５)は、骨伝導型スピーカ(４)の外周面及び裏面を覆う袋状部(51)を具え、該袋状部(51)の外面には、スピーカ収容凹部(24)の内面に接触すべき複数の凸部(53)が形成され、該複数の凸部(53)によって骨伝導型スピーカ(４)が弾性支持されていることを特徴とする携帯通信端末機。
【請求項２】
前記複数の凸部(53)は、キャビネット(２)のスピーカ収容凹部(24)の底面に対向して、弾性支持部材(５)の裏面に形成されている請求項１に記載の携帯通信端末機。
【請求項３】
弾性支持部材(５)の袋状部(51)には、骨伝導型スピーカ(４)の外周面を全周に亘って包囲する厚肉部(52)が形成され、該厚肉部(52)が、骨伝導型スピーカ(４)の外周面とスピーカ収容凹部(24)の内周面の間に挟持されている請求項１又は請求項２に記載の携帯通信端末機。
【請求項４】
弾性支持部材(５)は、硬度が４０度〜５０度のシリコンによって形成されている請求項１乃至請求項３の何れかに記載の携帯通信端末機。
【発明の詳細な説明】
【技術分野】
【０００１】
本発明は、骨伝導型スピーカを具えた携帯端末機に関するものである。
【背景技術】
【０００２】
老人の如く聴覚機能の低下したユーザであっても十分に受話音を聞き取ることの出来る電話機として、所謂骨伝導型スピーカを具えた送受話器が提案されている(特許文献１参照)。
この種の送受話器によって送受話を行なう場合、送受話器に配備されている骨伝導型スピーカを頬骨に押し付ける。これによって、骨伝導型スピーカから発せられる振動が頭骨を経て蝸牛に伝わり、蝸牛にて振動が電気信号に変換され、該電気信号が聴神経を経て脳に伝えられ、この結果、音声を認識することが出来るのである。
【特許文献１】特開２００３−１７４４９６号公報［H04M1/03］
【発明の開示】
【発明が解決しようとする課題】
【０００３】
そこで、小型のキャビネットに送話部と受話部を配備した携帯電話機において受話部に骨伝導型スピーカを採用することが考えられる。
しかしながら、携帯電話機においては小型化、薄型化を図る上で、骨伝導型スピーカはキャビネットに埋設する必要があり、これによって骨伝導型スピーカの振動がキャビネットを伝わって送話部のマイクロホンに入力されることとなり、ハウリングが発生する問題がある。
【０００４】
そこで本発明の目的は、骨伝導型スピーカを具えた携帯通信端末機においてハウリングの発生を抑制することである。
【課題を解決するための手段】
【０００５】
本発明に係る携帯通信端末機において、キャビネット(２)の表面には、骨伝導型スピーカ(４)を収容すべきスピーカ収容凹部(24)が形成され、該スピーカ収容凹部(24)に弾性支持部材(５)を介して骨伝導型スピーカ(４)が収容され、弾性支持部材(５)は、骨伝導型スピーカ(４)の外周面及び裏面を覆う袋状部(51)を具え、該袋状部(51)の外面には、スピーカ収容凹部(24)の内面に接触すべき複数の凸部(53)が形成され、該複数の凸部(53)によって骨伝導型スピーカ(４)が弾性支持されている。
【０００６】
上記本発明の携帯通信端末機においては、キャビネット(２)のスピーカ収容凹部(24)内にて骨伝導型スピーカ(４)が弾性支持部材(５)の複数の凸部(53)によって弾性支持されているので、骨伝導型スピーカ(４)自体の自由な振動が許容されると同時に、該振動のキャビネット(２)側への伝達が抑制される。
従って、骨伝導型スピーカ(４)の振動がキャビネット(２)を介して送話部へ伝わることはない。
【０００７】
具体的構成において、前記複数の凸部(53)は、キャビネット(２)のスピーカ収容凹部(24)の底面に対向して、弾性支持部材(５)の裏面に形成されている。
骨伝導型スピーカ(４)は、キャビネット(２)の表面に対して略垂直な方向(縦方向)に振動するものであり、該具体的構成においては、骨伝導型スピーカ(４)が、弾性支持部材(５)の裏面に形成されている複数の凸部(53)によって弾性支持されているので、骨伝導型スピーカ(４)の縦方向の振動(縦振動)は該凸部(53)の弾性によって効果的に吸収されることになる。
【０００８】
又、具体的構成において、弾性支持部材(５)の袋状部(51)には、骨伝導型スピーカ(４)の外周面を全周に亘って包囲する厚肉部(52)が形成され、該厚肉部(52)が、骨伝導型スピーカ(４)の外周面とスピーカ収容凹部(24)の内周面の間に挟持されている。
該具体的構成によれば、弾性支持部材(５)の厚肉部(52)が、骨伝導型スピーカ(４)の外周面とスピーカ収容凹部(24)の内周面の間に介在して、弾性支持部材(５)に対する回転力の作用に抗力を発揮するので、キャビネット(２)に骨伝導型スピーカ(４)をネジ止め固定する際に弾性支持部材(５)が大きく変形することはない。
【０００９】
更に具体的構成において、弾性支持部材(５)は、硬度が４０〜５０のシリコンによって形成されている。これによって最も高い振動吸収効果が発揮される。
【発明の効果】
【００１０】
本発明に係る携帯通信端末機によれば、骨伝導型スピーカ(４)の振動がキャビネット(２)を介して送話部へ伝わることはないので、ハウリングが発生することはない。
【発明を実施するための最良の形態】
【００１１】
以下、本発明を折り畳み式携帯電話機に実施した形態につき、図面に沿って具体的に説明する。
本発明に係る折り畳み式携帯電話機においては、図１及び図２に示す如く、本体キャビネット(１)と蓋体キャビネット(２)がヒンジ機構(３)を介して互いに開閉可能に連結され、蓋体キャビネット(２)の表面には、表示窓(23)が設けられると共に、ヒンジ機構(３)側の端部には、骨伝導型スピーカ(４)が配備されている。又、本体キャビネット(１)の内面には、ヒンジ機構(３)とは反対側の端部に、送話部(13)が凹設されている。
【００１２】
図３に示す如く、本体キャビネット(１)は扁平な一対のキャビネット半体(11)(12)を接合して構成されている。蓋体キャビネット(２)も同様に扁平な一対のキャビネット半体(21)(22)を接合して構成され、内面側のキャビネット半体(21)には、基板(62)上のディスプレイホルダー(61)を介してディスプレイ(６)が設置されると共に、外面側のキャビネット半体(22)には、ディスプレイ(６)と対向する位置に、前述の表示窓(23)が設けられている。
尚、外面側のキャビネット半体(22)は、ヒンジ機構(３)とは反対側の端部から骨伝導型スピーカ(４)の設置部に向かって表面が隆起した形状を有し、該形状に沿う様に傾斜した姿勢で表示窓(23)が設けられている。そして、ディスプレイ(６)は、その画面が表示窓(23)と略同一の傾斜角度となるように基板(62)に対して傾斜した姿勢で、ディスプレイホルダー(61)上に保持されている。
【００１３】
更に、蓋体キャビネット(２)の外面側のキャビネット半体(22)には、ヒンジ機構(３)側の端部に、骨伝導型スピーカ(４)を収容するためのスピーカ収容凹部(24)が形成されており、該スピーカ収容凹部(24)に弾性支持部材(５)を介して骨伝導型スピーカ(４)が収容されている。
【００１４】
骨伝導型スピーカ(４)にはフレキシブルリード(43)を介して基板(42)が接続されており、該基板(42)の裏面に形成された一対のパッド部(図示省略)が、内面側のキャビネット半体(21)に配備された一対の電極片(８)(８)と接触することにより、骨伝導型スピーカ(４)に駆動用の電力が供給される(図７参照)。
【００１５】
弾性支持部材(５)は、硬度が４５度のシリコン製であって、骨伝導型スピーカ(４)の外周面及び裏面を覆う袋状部(51)を具え、該袋状部(51)の開口縁側の端部には、図４中にハッチングを施して示す様に、骨伝導型スピーカ(４)の全周を包囲して、幅１.５ｍｍ程度の帯状の厚肉部(52)が形成されている。
又、弾性支持部材(５)の袋状部(51)には、骨伝導型スピーカ(４)から引き出されたフレキシブルリード(43)を貫通させるための開口(55)が設けられている。
更に弾性支持部材(５)の袋状部(51)の裏面には、図５に示す如く高さ０.５ｍｍ程度の半球状を呈する凸部(53)が四隅に形成されている。
【００１６】
図６及び図８に示す如く、弾性支持部材(５)は、蓋体キャビネット(２)のスピーカ収容凹部(24)と骨伝導型スピーカ(４)の間に介在し、その内面は、全域が骨伝導型スピーカ(４)の外周面及び裏面に密着しているが、外面側においては、厚肉部(52)と凸部(53)のみがスピーカ収容凹部(24)の内面に接触している。
斯くして骨伝導型スピーカ(４)は、弾性支持部材(５)の４つの凸部(53)と厚肉部(52)により、蓋体キャビネット(２)のスピーカ収容凹部(24)に弾性支持されている。
【００１７】
骨伝導型スピーカ(４)の裏面には、図５に示す如くボス(41)が突設されており、該ボス(41)は、弾性支持部材(５)に開設された貫通孔(54)を貫通し、その先端部が弾性支持部材(５)から突出している。そして、該ボス(41)の先端部は、図３に示す如く蓋体キャビネット(２)のスピーカ収容凹部(24)の底面に開設された貫通孔(25)を貫通し、その先端部がスピーカ収容凹部(24)の底壁から突出し、その先端面に、図７の如くリング状の円板(71)がビス(７)によって固定されている。
斯くして、骨伝導型スピーカ(４)は、蓋体キャビネット(２)の表面に対して垂直方向の一定範囲内で振動自由に支持されることになる。
【００１８】
尚、携帯電話機の組立工程にて、工具を用いてビス(７)をボス(41)にねじ込む作業においては、弾性支持部材(５)の厚肉部(52)が骨伝導型スピーカ(４)の外周面と蓋体キャビネット(２)のスピーカ収容凹部(24)の内周面との間に介在して、骨伝導型スピーカ(４)の回転に対して十分な抗力を発揮するので、弾性支持部材(５)が大きく変形することはなく、ねじ込み作業に支障はない。
【００１９】
上記本発明の折り畳み式携帯電話機においては、図１に示す如く閉じた状態で受話部となる骨伝導型スピーカ(４)と送話部(13)とによって通話が可能となり、骨伝導型スピーカ(４)の振動によって受話音声を認識することが出来る。ここで、骨伝導型スピーカ(４)は蓋体キャビネット(２)の表面に対して垂直方向(縦方向)に振動するが、骨伝導型スピーカ(４)は、その振動方向である縦方向には弾性支持部材(５)の４つの凸部(53)のみによって弾性支持されているに過ぎないので、自由な振動が許容される。従って、弾性支持部材(５)が骨伝導型スピーカ(４)の骨伝導による音声出力に支障を来たすことはない。
【００２０】
又、骨伝導型スピーカ(４)の振動に伴って弾性支持部材(５)の４つの凸部(53)が弾性変形し、これによって骨伝導型スピーカ(４)の振動は効果的に吸収される。従って、骨伝導型スピーカ(４)の鳴動に伴って蓋体キャビネット(２)が大きく振動することはなく、ハウリングが発生する虞はない。
又、送話部(13)は、本体キャビネット(１)の内面に凹設されているので、図１の閉じ状態においても送話音声を十分な音量で送話部(13)へ送り込むことが出来る。
更に又、ディスプレイ(６)は、図３に示す様に画面が表示窓(23)と略同一の傾斜角度となるようにディスプレイホルダー(61)に保持されているので、ディスプレイ(６)の画面が表示窓(23)に対して略平行な姿勢となり、ディスプレイ(６)の画面の全領域が表示窓(23)に接近している。従って、表示窓(23)を通してディスプレイ(６)の画面を見るとき、画面が見づらいものとなることはない。
【００２１】
尚、本発明の各部構成は上記実施の形態に限らず、特許請求の範囲に記載の技術的範囲内で種々の変形が可能である。又、本発明は折り畳み携帯電話機に限らず、単一のキャビネットに送話部と受話部を配備した携帯電話機に実施することも可能である。
【図面の簡単な説明】
【００２２】
【図１】本発明に係る折り畳み携帯電話機の斜視図である。
【図２】該折り畳み携帯電話機の平面図である。
【図３】該折り畳み携帯電話機の分解斜視図である。
【図４】骨伝導型スピーカを収容した弾性支持部材の斜視図である。
【図５】弾性支持部材の裏面を示す斜視図である。
【図６】図２のＡ−Ａ線に沿う断面図である。
【図７】図２のＢ−Ｂ線に沿う断面図である。
【図８】図６の要部を示す拡大断面図である。
【符号の説明】
【００２３】
(１)  本体キャビネット
(２)  蓋体キャビネット
(24)  スピーカ収容凹部
(４)  骨伝導型スピーカ
(５)  弾性支持部材
(51)  袋状部
(52)  厚肉部
(53)  凸部
【図１】
2005159969.tif 000003
【図２】
2005159969.tif 000004
【図３】
2005159969.tif 000005
【図４】
2005159969.tif 000006
【図５】
2005159969.tif 000007
【図６】
2005159969.tif 000008
【図７】
2005159969.tif 000009
【図８】
2005159969.tif 000010